(57)【要約】【課題】キャリアケースに収納された一連のブリスターパックを引っ張ることによりブリスターパックの蓋材を順次簡単に剥がせるようにしたオープナー機能を備えたキャリアケースを提供すること。【解決手段】キャリアケース本体（１５）の保持板（１３）は略ブリスターパック１個分短く取り付けられ、キャリアケース本体と回転治具（２０）とはキャリアケース本体の平板（１１）と回転治具の第２平板（１７）との間にブリスターパック（１００）の蓋材１枚分が通過できる程度の間隙（２１）を保持して略一直線上に配置され、かつ、平板の一方のスライド溝（１４）を支点（ｎ）にして回動自在に取付けられている。【選択図】図１
2004131089.tif 000002
【特許請求の範囲】
【請求項１】
複数個のブリスターパックが一連に連設された連続ブリスターパックのキャリアケースにおいて、
短冊形の平板の長手方向の一対の端縁に当て壁が立設され、該当て壁の先端から内方に向けて保持板が平板と平行に左右対称に形成されて縦断面がコの字状のスライド溝が形成され、短手方向の片方の端縁は一対のスライド溝を連続させて閉塞部を形成させたキャリアケース本体と、
前記平板と同じ幅の第２平板の長手方向の一対の端縁に前記平板の端縁に形成されたスライド溝と同じ形状の第２スライド溝が形成され、第２平板の略中央にはブリスターパックの収納部本体１個分が入る孔が穿設された回転治具と、
からなるキャリアケースであって、
前記キャリアケース本体の保持板は略ブリスターパック１個分短く取り付けられ、前記回転治具の保持板は略ブリスターパック１個分長く取り付けられ、前記キャリアケース本体と前記回転治具とは、キャリアケース本体の平板と回転治具の第２平板との間にブリスターパックの蓋材１枚分が楽に通過できる程度の間隙を保持して略一直線上に配置され、かつ、平板の一方のスライド溝を支点にして、回動自在に取り付けられていることを特徴とする、オープナー機能を備えたブリスターパックのキャリアケース。
【請求項２】
前記キャリアケース本体の平板端縁に立設して形成されるコの字状のスライド溝と、前記回転治具の第２平板端縁に立設して形成されるコの字状の第２スライド溝とが、平板端縁並びに第２平板端縁の下方にも上方と対称に垂設されていることを特徴とする請求項１記載のオープナー機能を備えたブリスターパックのキャリアケース。
【請求項３】
前記回転治具の第２平板の閉じた際に平板と接しない方の端縁は、一対の第２スライド溝を連続させて第２閉塞部を形成させたことを特徴とする請求項１又は２記載のオープナー機能を備えたブリスターパックのキャリアケース。
【請求項４】
複数個のブリスターパックが一連に連設された連続ブリスターパックのキャリアケースにおいて、
短冊形の平板の長手方向の一対の端縁には当て壁が立設され、該当て壁の先端から内方に向けて保持板が平板と平行に左右対称に形成されて縦断面がコの字状のスライド溝を形成させたキャリアケース本体と、
ブリスターパック１個分が収納可能な底板と底板の周縁に立設された周壁とからなり天面が開放された収納部本体と収納部本体に連続する取り付け部から構成されるブリスターパック収納部とからなるキャリアケースであって、
前記ブリスターパック収納部が、前記平板より略ブリスターパック１個分低い位置に、前記平板の該キャリアケース本体の短冊形の平板の当て壁が立設されていない方の一対の端縁の片方に、収納部本体がキャリアケース本体から突出してキャリアケース本体と平行に設けられていることを特徴とするオープナー機能を備えたブリスターパックのキャリアケース。
【請求項５】
前記ブリスターパック収納部は、取り付け部がキャリアケース本体の当て壁に摺動可能に取り付けられていることを特徴とする請求項４記載のオープナー機能を備えたブリスターパックのキャリアケース。
【請求項６】
前記収納部本体の周壁の端縁に内方に向けて飛び出し防止用の係止板が形成されていることを特徴とする請求項４又は５記載のオープナー機能を備えたブリスターパックのキャリアケース。
【発明の詳細な説明】
【０００１】
【発明の属する技術分野】
本発明は、一連に連なった複数個のブリスターパックを収納するキャリアケースに関し、特には、先端にオープナー機構を取り付けて使い勝手を向上させたブリスターパックのキャリアケースに関する。
【０００２】
【従来の技術】
従来、キャリアケースとしての機能を保持したまま、オープナー機能を有するキャリアケース兼オープナーは存在しておらず、キャリアケースから取り出したブリスターパックを開封するには、素手を用いて蓋材を剥がす方法しかなかった。この方法ではブリスターパックの形状によっては非常に開封しづらいという問題があった。
【０００３】
【発明が解決しようとする課題】
本発明は、ブリスターパックのキャリアケースに関する以上のような問題に鑑みてなされたもので、キャリアケースに収納された一連のブリスターパックを引っ張ることによりブリスターパックに熱封緘されている蓋材が順次１個ずつ簡単に剥がすことができるようにしたオープナー機能を備えたブリスターパックのキャリアケースを提供することを課題とする。
【０００４】
【課題を解決するための手段】
本発明の請求項１の発明は、複数個のブリスターパックが一連に連設された連続ブリスターパックのキャリアケースにおいて、短冊形の平板の長手方向の一対の端縁に当て壁が立設され、該当て壁の先端から内方に向けて保持板が平板と平行に左右対称に形成されて縦断面がコの字状のスライド溝が形成され、短手方向の片方の端縁は一対のスライド溝を連続させて閉塞部を形成させたキャリアケース本体と、前記平板と同じ幅の第２平板の長手方向の一対の端縁に前記平板の端縁に形成されたスライド溝と同じ形状の第２スライド溝が形成され、第２平板の略中央にはブリスターパックの収納部本体１個分が入る孔が穿設された回転治具と、からなるキャリアケースであって、前記キャリアケース本体の保持板は略ブリスターパック１個分短く取り付けられ、前記回転治具の保持板は略ブリスターパック１個分長く取り付けられ、前記キャリアケース本体と前記回転治具とは、キャリアケース本体の平板と回転治具の第２平板との間にブリスターパックの蓋材１枚分が楽に通過できる程度の間隙を保持して略一直線上に配置され、かつ、平板の一方のスライド溝を支点にして、回動自在に取り付けられていることを特徴とする、オープナー機能を備えたブリスターパックのキャリアケースである。
【０００５】
このように請求項１記載の発明によれば、キャリアケース本体の短冊形の平板の長手方向の一対の端縁に縦断面がコの字状のスライド溝が形成されているので、収納された連続ブリスターパックがキャリアケース本体から落ちることがないし、スライド溝に沿ってブリスターパックをスライドさせることができる。
【０００６】
また、短手方向の片方の端縁は一対のスライド溝を連続させて閉塞部を形成させているので、収納した連続ブリスターパックがキャリアケース本体から飛び出すこともない。
【０００７】
キャリアケース本体の保持板は略ブリスターパック１個分短く取り付けられ、前記回転治具の保持板は略ブリスターパック１個分長く取り付けられ、前記キャリアケース本体と前記回転治具とは、キャリアケース本体の平板と回転治具の第２平板との間にブリスターパックの蓋材１枚分が楽に通過できる程度の間隙を保持して略一直線上に配置され、かつ、平板の一方のスライド溝を支点にして、回動自在に取り付けられているので、平板の前方先端に連続ブリスターパックの開封したい部分を移動させ、下方に折り曲げ回転治具で押さえ込み、手前の一つを指等で引き戻すと蓋材と分離したブリスターが回転治具の先端部分に移動して、回転治具を開き開封されたブリスターを取り出すことができる。
【０００８】
また、請求項２の発明は、請求項１の発明において、前記キャリアケース本体の平板端縁に立設して形成されるコの字状のスライド溝と、前記回転治具の第２平板端縁に立設して形成されるコの字状の第２スライド溝とが、平板端縁並びに第２平板端縁の下方にも上方と対称に垂設されていることを特徴とする請求項１記載のオープナー機能を備えたブリスターパックのキャリアケースである。
【０００９】
このように請求項２記載の発明によれば、キャリアケース本体の平板端縁に立設して形成されるコの字状のスライド溝と、前記回転治具の第２平板端縁に立設して形成されるコの字状の第２スライド溝とが、平板端縁並びに第２平板端縁の下方にも上方と対称に垂設されているので、２種類のブリスターパックを収納することができる。
【００１０】
また、請求項３の発明は、請求項１又は２の発明において、前記回転治具の第２平板の閉じた際に平板と接しない方の端縁は、一対の第２スライド溝を連続させて第２閉塞部を形成させたことを特徴とするオープナー機能を備えたブリスターパックのキャリアケースである。
【００１１】
このように請求項３記載の発明によれば、回転治具の第２平板の閉じた際に平板と接しない方の端縁は、一対の第２スライド溝を連続させて第２閉塞部を形成させているので、キャリアケースからブリスターパックが落ちることがない。
【００１２】
また、請求項４の発明は、複数個のブリスターパックが一連に連設された連続ブリスターパックのキャリアケースにおいて、短冊形の平板の長手方向の一対の端縁には当て壁が立設され、該当て壁の先端から内方に向けて保持板が平板と平行に左右対称に形成されて縦断面がコの字状のスライド溝を形成させたキャリアケース本体と、ブリスターパック１個分が収納可能な底板と底板の周縁に立設された周壁とからなり天面が開放された収納部本体と収納部本体に連続する取り付け部から構成されるブリスターパック収納部とからなるキャリアケースであって、前記ブリスターパック収納部が、平板より略ブリスターパック１個分低い位置に、前記平板の該キャリアケース本体の短冊形の平板の当て壁が立設されていない方の一対の端縁の片方に、収納部本体がキャリアケース本体から突出してキャリアケース本体と平行に設けられていることを特徴とするオープナー機能を備えたブリスターパックのキャリアケースである。
【００１３】
このように請求項４記載の発明によれば、ブリスターパック収納部が、平板より略ブリスターパック１個分低い位置に、前記平板の該キャリアケース本体の短冊形の平板の当て壁が立設されていない方の一対の端縁の片方に、収納部本体がキャリアケース本体から突出してキャリアケース本体と平行に設けられているので、ブリスターパック収納部の前方先端に収納された連続ブリスターパックの最初の開封させたい部分を移動させ、蓋材同士が対向するように折り畳んで収納部本体に嵌め込み、ついで、ブリスターパックを手前に引き戻すことにより、最初のブリスターパックは蓋材から分離して開封される。
【００１４】
また、請求項５の発明は、請求項４の発明において、前記ブリスターパック収納部は、取り付け部がキャリアケース本体の当て壁に摺動可能に取り付けられていることを特徴とするオープナー機能を備えたブリスターパックのキャリアケースである。
【００１５】
このように請求項５記載の発明によれば、ブリスターパック収納部は、取り付け部がキャリアケース本体の当て壁に摺動可能に取り付けられているので、開封したいブリスターパックを完全に開封することができる。
【００１６】
また、請求項６の発明は、請求項４又は５の発明において、前記収納部本体の周壁の端縁に内方に向けて飛び出し防止用の係止板が形成されていることを特徴とするオープナー機能を備えたブリスターパックのキャリアケースである。
【００１７】
このように請求項６記載の発明によれば、収納部本体の周壁の端縁に内方に向けて飛び出し防止用の係止板が形成されているので、開封したいブリスターパックをより完全に開封することができる。
【００１８】
【発明の実施の形態】
本発明のオープナー機能を備えたブリスターパックのキャリアケースを一実施形態（第１の実施形態）に基づいて以下に詳細に説明する。
本発明のオープナー機能を備えたブリスターパックのキャリアケースは、例えば、図１、図２（ａ）、（ｂ）に示すように、短冊形の平板（１１）の長手方向の一対の端縁に当て壁（１２、１２）が立設され、該当て壁の先端から内方に向けて保持板（１３、１３）が平板と平行に左右対称に形成されて縦断面がコの字状のスライド溝（１４、１４）が形成され、短手方向の片方の端縁は一対のスライド溝（１４、１４）を連続させた閉塞部（１６）を形成させたキャリアケース本体（１５）と、前記平板と同じ幅の第２平板（１７）の長手方向の一対の端縁に前記平板の端縁に形成されたスライド溝と同じ形状の第２スライド溝（１８、１８）が形成され、第２平板（１７）の略中央にはブリスターパックの収納部本体（１０１）１個分が入る孔（１９）が穿設された回転治具（２０）と、からなるキャリアケース（１０）である。
【００１９】
そして、キャリアケース本体の保持板（１３）は略ブリスターパック１個分短く取り付けられ、前記回転治具の保持板は略ブリスターパック１個分長く取り付けられ、キャリアケース本体（１５）と回転治具（２０）とは、キャリアケース本体の平板と回転治具の第２平板との間にブリスターパックの蓋材１枚分が楽に通過できる程度の間隙（２１）を保持して略一直線上に配置され、かつ、平板の一方のスライド溝を支点（ｎ）にして、回動自在に取り付けられている。
【００２０】
なお、収納されるブリスターパック（１００）は、一般的に熱可塑性プラスチックシートを成形して得られる収納部（１０１）と、収納部に内容物（１０３）を収納後、収納部の開口部を覆って熱封緘等する蓋材（１０２）から成るものである（図６参照）。
【００２１】
このような構造を有しているため、キャリアケースに一連のブリスターパックを収納した後、一連のブリスターパックを引っ張るのみで、ブリスターパックの収納部から蓋材を簡単に剥がして収納部に収納されている内容物を取り出すことができる。その仕組みを以下に図３（ａ）〜（ｆ）に沿って説明する。
【００２２】
すなわち、例えば、先ず、連続したブリスターパックがキャリアケースに収納されている（図３（ａ）参照）。
つぎに、回転治具（２０）を開いて、連続ブリスターパックの開封したいブリスターパックを平板（１１）の前方にスライドさせる（図３（ｂ）参照）。
スライドさせたブリスターパックを下方に折り曲げ回転治具（２０）を閉じると共に、ブリスターパックを押さえ込む（図３（ｃ）、（ｄ）参照）。
手前のブリスターパックを指等で引き戻すと、ブリスターパックと蓋材が分離して蓋材と分離したブリスターパックが回転治具（２０）の先端部分にスライドする。回転治具（２０）を開いて開封されたブリスターパックを取り出す（図３（ｅ）、（ｆ）参照）。
【００２３】
なお、図２に示すように、キャリアケース本体（１５）の平板端縁に立設して形成されるコの字状のスライド溝（１４）と、回転治具（２０）の第２平板端縁に立設して形成されるコの字状の第２スライド溝（１８）とを、平板端縁並びに第２平板端縁の下方にも上方と対称に垂設しても良い。
このようにすることにより、２種類のブリスターパックを同時に収納することができる。
【００２４】
また、回転治具（２０）の第２平板の、閉じた際に平板と接しない方の端縁に、一対の第２スライド溝を連続させた第２閉塞部（２２）を形成させても良い。
第２閉塞部（２２）を形成させることにより、収納したブリスターパックが移動中にケースから飛び出すことがない。
【００２５】
図４（ａ）、（ｂ）は本発明のオープナー機能を備えたブリスターパックのキャリアケースの別の実施形態（第２の実施形態）を示す説明図である。
このブリスターパックのキャリアケースは、短冊形の平板（３１）の長手方向の一対の端縁に当て壁（３２）が立設され、該当て壁の先端から内方に向けて保持板（３３）が平板（３１）と平行に左右対称に形成されて縦断面がコの字状のスライド溝（３４）を形成させたキャリアケース本体（３５）と、ブリスターパック（１００）１個分が収納可能な底板（３６）と底板の周縁に立設された周壁（３７）とからなり天面が開放された収納部本体（３８）と収納部本体に連続する取り付け部（３９）から構成されるブリスターパック収納部（４０）と、からなるキャリアケースである。
【００２６】
ブリスターパック収納部（４０）は、平板より略ブリスターパック１個分低い位置に、平板の該キャリアケース本体の短冊形の平板の当て壁が立設されていない方の一対の端縁の片方に、収納部本体がキャリアケース本体から突出してキャリアケース本体（３５）と平行に設けられている。
【００２７】
このような構造からなる本実施形態のオープナー機能を備えたブリスターパックのキャリアケースを用いて、ブリスターパックを開封する方法はつぎの通りである。
すなわち、ブリスターパック収納部（４０）の前方先端に収納された連続ブリスターパック（１００）の最初の開封させたい部分をスライドさせ、蓋材（１０２）同士が対向するように折り畳んで収納部本体（３８）に嵌め込む。
ついで、ブリスターパック（１００）を手前に引き戻すことにより、最初のブリスターパックの収納部（１０１）は蓋材（１０２）から分離して開封される。
【００２８】
図５（ａ）、（ｂ）は本発明のオープナー機能を備えたブリスターパックのキャリアケースのさらに別の実施形態（第３の実施形態）を示す説明図である。
このブリスターパックのキャリアケースは、基本的には第２の実施形態と同じであるが、ブリスターパック収納部を前後にスライド可能にしたものである。
【００２９】
すなわち、ブリスターパック収納部（４０）は、取り付け部（３９）がキャリアケース本体（３５）の当て壁（３２）に摺動可能に取り付けられている。
また、収納部本体（３８）の周壁（３７）の端縁に内方に向けて係止板（４１）が形成されている。
【００３０】
このような構造を取っているため、一旦押しだしたブリスターパックを手前に引くと収納部本体（３８）が前に動き、収納部本体に収納されているブリスターパックの蓋材が剥離して、ブリスターパックの収納部（１０１）はブリスターパック収納部（４０）の係止板（４１）に引っ掛り、蓋材は完全に剥がれ、内容物（１０３）が簡単に取り出し可能になる。
【００３１】
【発明の効果】
上記のように、本発明のオープナー機能を備えたブリスターパックのキャリアケースは、下記に示す如き効果がある。
即ち、複数個のブリスターパックを持ち運びできるキャリアケースの機能を果たし、かつ、オープナーが備えられているので、開封もし易い。
構造がシンプルなので、同一構造を表裏に設けることができ、２種類のブリスターパックを搭載する事も可能となる。
【図面の簡単な説明】
【図１】本発明のオープナー機能を備えたブリスターパックのキャリアケースの一実施例を示す、平面説明図である。
【図２】（ａ）は図１のキャリアケース本体部分の斜視説明図であり、（ｂ）は図１の回転治具部分の斜視説明図である。
【図３】（ａ）〜（ｆ）は、図１のオープナー機能を備えたブリスターパックのキャリアケースに収納された連続ブリスターパックからブリスターパックの収納部に収納されている内容物を取り出す手順を示す、斜視説明図である。
【図４】本発明のオープナー機能を備えたブリスターパックのキャリアケースの別の実施例を示す、（ａ）は斜視説明図であり、（ｂ）は（ａ）に対応する側断面説明図である。
【図５】本発明のオープナー機能を備えたブリスターパックのキャリアケースのさらに別の実施例を示す、（ａ）は斜視説明図であり、（ｂ）は（ａ）に対応する側断面説明図である。
【図６】本発明のオープナー機能を備えたブリスターパックのキャリアケースに収納する連続ブリスターパックの一実施例を示す、説明図である。
【符号の説明】
１０‥‥キャリアケース
１１‥‥平板
１２‥‥当て壁
１３‥‥保持板
１４‥‥スライド溝
１５‥‥キャリアケース本体
１６‥‥閉塞部
１７‥‥第２平板
１８‥‥第２スライド溝
１９‥‥孔
２０‥‥回転治具
２１‥‥間隙
２２‥‥第２閉塞部
３１‥‥平板
３２‥‥当て壁
３３‥‥保持板
３４‥‥スライド溝
３５‥‥キャリアケース本体
３６‥‥底板
３７‥‥周壁
３８‥‥収納部本体
３９‥‥取り付け部
４０‥‥ブリスターパック収納部
４１‥‥係止板
１００‥‥ブリスターパック
１０１‥‥収納部
１０２‥‥蓋材
１０３‥‥内容物
ｎ‥‥支点
【図１】
2004131089.tif 000003
【図２】
2004131089.tif 000004
【図３】
2004131089.tif 000005
【図４】
2004131089.tif 000006
【図５】
2004131089.tif 000007
【図６】
2004131089.tif 000008